(57)【要約】【課題】多数の物品を包装箱に設けた井形形状の仕切り間に包装する際に、底面方向の保護の緩衝性を備え、部品の削減と作業効率の向上が実現できる包装材を提供する。【解決手段】包装材２は、収納部３と緩衝部５を備える。収納部３は、開口している上端と、密閉している下端とを有し、上端からの空洞が下端で終端し、上端から挿入された物品１を下端において支持する。緩衝部５は、収納部３の下端の下方に設けられ、収納部３の下端において支持された物品１の底面を保護する。【選択図】図１
2014159292.tif 000002
【特許請求の範囲】
【請求項１】
開口している上端と、密閉している下端とを有し、前記上端からの空洞が前記下端で終端し、前記上端から挿入された物品を前記下端において支持する筒状の収納部と、
前記収納部の前記下端の下方に設けられ、前記収納部の前記下端において支持された前記物品の底面を保護する緩衝部とを備えることを特徴とする包装材。
【請求項２】
前記緩衝部は、
上端を前記収納部の前記下端とし、下端が開口し、前記下端からの空洞が前記上端で終端している筒状体であることを特徴とする請求項１に記載の包装材。
【請求項３】
前記緩衝部は、
前記下端の両隅がそれぞれ前記下端の中央に向けて折られて、前記下端の両隅が接合されていることを特徴とする請求項２に記載の包装材。
【請求項４】
前記包装材は、
前記収納部及び前記緩衝部が、気泡緩衝材で構成されていることを特徴とする請求項１〜３のいずれかに記載の包装材。
【請求項５】
前記包装材は、
１枚の気泡緩衝材の両側を接合して筒状体にし、前記筒状体の軸方向の所定の位置において前記筒状体の内側の面を接合して前記収納部の前記下端が形成されることを特徴とする請求項１〜４に記載の包装材。
【請求項６】
前記緩衝部は、
前記収納部の前記下端に付加された、一方の側端から他方の側端までが空洞になっている筒状体であることを特徴とする請求項１に記載の包装材。
【請求項７】
前記包装材は、前記収納部及び前記緩衝部が、２枚の平滑な面の間に気泡面を挟み込んだ気泡緩衝材で構成されることを特徴とする請求項１〜６のいずれかに記載の包装材。
【請求項８】
前記包装材は、
帯電を防止する性質を有する気泡緩衝材で構成されていることを特徴とする請求項１〜７のいずれかに記載の包装材。
【発明の詳細な説明】
【技術分野】
【０００１】
本発明は、物品を衝撃から保護する包装材に関する。
【背景技術】
【０００２】
製品や部品等の物品は生産後に、段ボール箱などの収納容器に包装し代理店や客先工場まで輸送される。
輸送は国内や海外に向けて行われ、内容品は振動や衝撃など様々な外力を受ける。
輸送環境において内容品を保護しつつ、かつ効率良く輸送するため日々様々な形状の包装材が提供されている。
【０００３】
電子機器（プリンタ用イメージセンサー、デジタルカメラ等）などの製品は、輸送時の振動や衝撃からの保護のため包装箱と製品の間に隙間を設けたり、緩衝材で包んだりするなど製品の特徴に合わせて様々な包装が施されている。
【０００４】
従来の包装材として、特許文献１には、被包装製品の両サイド部に樹脂フィルムによる「密閉形状」を設ける事で緩衝性を確保する包装材が開示されている。
専用のクリップを仕切り材として用いることで付属品など別の製品を同じ緩衝材で包装できる。
【０００５】
また、特許文献２には、被包装製品を収納する上下の内側フィルムとその上下に設置される外側フィルムで構成され、内側フィルムと外側フィルムが「２重構造」に形成されている包装材が開示されている。
全方向の押し圧に耐えることができ、包装箱に収納することなく輸送することも可能となっている。
【０００６】
さらに、特許文献３には、被包装製品を収納するプラスチックフィルム筒体に関するもので、「プラスチック筒体を変形させることなく」、収納箱内の間仕切りと緩衝性を確保している包装材が開示されている。
プラスチックフィルム筒体を製品サイズごとに用意することで、同一収納箱にサイズの異なる製品の積み込みが可能となっている。
【先行技術文献】
【特許文献】
【０００７】
【特許文献１】特開２００８−７４４５１号公報
【特許文献２】特開２０１１−０６８３６６号公報
【特許文献３】特開２００９−１７３３０４号公報
【発明の概要】
【発明が解決しようとする課題】
【０００８】
上記特許文献１に開示される包装材は、緩衝部に空気を注入する必要があるため、包装工数が増加し作業効率が良いとは言いがたい。
また、製品の正面と背面を保護するためには、緩衝材の奥行き方向の寸法が製品の奥行き方向より大きくなる必要があり、その分製品の側面方向の緩衝材の幅が厚くなるため、幅と厚みが同程度の製品において、緩衝材の占める割合が増加し輸送効率が悪くなる。
【０００９】
特許文献２に開示される包装材は、全方向に緩衝空間を設けるため一つ一つ輸送する製品には向いているが、大量の製品を輸送する際の効率が悪い。
また、全面が曲線形状の緩衝材で覆われているため、積み付けがしやすいとは言いがたい。
【００１０】
特許文献３に開示される包装材は、多品種の製品を同時に収納できるように、様々なサイズのプラスチックフィルム筒体を包装箱に敷き詰めているが、フィルム筒体は包装箱の内空間に隙間無く詰められていることでその緩衝性及び位置決め機能が働くため、製品の数が少ない場合には、適宜空筒を使う必要がある。
また、フィルム筒体のサイズが均一でないため隙間無く埋めるために思考する手間が発生する。
【００１１】
本発明は、上記の事情に鑑みてなされたものであって、容易に包装作業ができ、かつ輸送時に発生する底面方向の衝撃に対して緩衝性を備え、部品の削減と作業効率の向上を実現できる包装材を提供することを主な目的とする。
【課題を解決するための手段】
【００１２】
本発明に係る包装材は、
開口している上端と、密閉している下端とを有し、前記上端からの空洞が前記下端で終端し、前記上端から挿入された物品を前記下端において支持する筒状の収納部と、
前記収納部の前記下端の下方に設けられ、前記収納部の前記下端において支持された前記物品の底面を保護する緩衝部とを備えることを特徴とする。
【発明の効果】
【００１３】
本発明によれば、物品を収納する収納部の下方に物品の底面を保護する緩衝部が設けられているので、底面方向の衝撃に対して優れた緩衝性を確保することができる。
【図面の簡単な説明】
【００１４】
【図１】実施の形態１に係る包装材の外観を示す斜視図である。
【図２】実施の形態１に係る包装材を包装箱に収納する様子を示す斜視図である。
【図３】実施の形態１に係る包装材の底面緩衝部の概要を示す斜視図である。
【図４】実施の形態１に係る他の構成の包装材の外観を示す斜視図である。
【発明を実施するための形態】
【００１５】
以下に、本発明にかかる包装材の実施の形態を図面に基づいて詳細に説明する。
なお、この実施の形態によりこの発明が限定されるものではない。
【００１６】
実施の形態１．
図１は、実施の形態１に係る包装材２の外観を示す斜視図である。
実施の形態１に係る包装材２は、気泡緩衝材を用いて底面からの衝撃から製品を保護して輸送するための包装材である。
包装材２は、物品１の全体を保護する収納部３と、底面方向を保護する緩衝部５を備えている。
収納部３は、筒状体であり、上端は開口しており、下端は密閉しており、上端からの空洞が下端で終端している。
このため、収納部３の上端から挿入された物品１は下端において支持される。
緩衝部５は、収納部３の下端の下方に設けられ、収納部３の下端において支持された物品１の底面を保護する。
緩衝部５は、上端を収納部３の下端とし、下端が開口し、下端からの空洞が上端で終端している筒状体である。
収納部３と緩衝部５との境界部分を接合部ａ４という。
また、包装材２は、気泡緩衝材で作成されており、気泡緩衝材は、外側と内側に平滑面２２を有し、気泡面２１を挟み込んだ構造となっている。
【００１７】
図２は、包装材２を包装箱７に収納する様子を示す斜視図である。
物品１を包装材２の収納部３に収納し、包装箱７内に設置されている井形状の仕切り材６に包装材２の緩衝部５側から挿入される。
【００１８】
図３は、包装材２の緩衝部５の概要を示す斜視図である。
収納部３と緩衝部５の間は接合部ａ４により間仕切りされている。
緩衝部５は収納部３を延長して形成され、緩衝部５の下端はスカート形状に開放されている。
スカート形状８は接合部ｂ９でその端面を接着することで垂直方向に容易に潰れるようになる。
【００１９】
図１〜３に示す包装材２は、１枚の気泡緩衝材の両側を折り込み、両側を接合（溶着）して図１に示すような楕円形の筒状体にし、筒状体の軸方向の所定の位置で内周面を接合（溶着）して作成する。
接合箇所が接合部ａ４となり、接合部ａ４により収納部３と緩衝部５が形成される。
【００２０】
このように、本実施の形態に係る包装材２は、全体を保護する収納部３と底面方向を保護する緩衝部５とを同時に備え、収納部３は物品１全体を包むための筒形状の気泡緩衝材（プチプチ袋）と、緩衝部５は底面部分に余長を備えたスカート形状の気泡緩衝材からなる。
収納部３と緩衝部５の間は溶着することで分割されている構造とする。
スカート形状の気泡緩衝材は、仕切り間に収納される際に潰すことで緩衝厚さを確保し底面方向に対して緩衝性を有する。
【００２１】
図４は、包装材２の緩衝部の別形態の概要を示す斜視図である。
図４の包装材２では、収納部３の軸方向に対して横向き（水平方向）の開口部１０を持つ筒状体の緩衝部５０が設けられている。
つまり、図４の緩衝部５０では、一方の側端から他方の側端までが空洞になっている。
図４の緩衝部５０は、物品１を収納部３に挿入し、仕切り材６に入れた際に、垂直方向に潰れ、厚みを持った緩衝機能を有する。
【００２２】
また、本実施の形態に係る包装材２の気泡緩衝材は帯電防止の機能を持しており、ゴミの付着を防止する機能も有する。
【００２３】
以上のように、本実施の形態に係る包装材は、内容品の全体の保護と底面部分の緩衝性を有しつつ作業性効率化を実現するのに有用である。
【００２４】
本実施の形態に係る包装材によれば、物品は全体が気泡緩衝材に包まれているので、物品同士が接触したり包装箱で擦れたりする心配がない。
また、気泡緩衝材を用いているため、一つ一つが緩衝材で保護されている。
また、物品を筒状の収納部に挿入するだけで物品を包装することができ、包装作業の効率を向上させることができる。
さらに井形状の仕切り材の中に収納することで、気泡緩衝材で包まれていても包装箱の内部で遊ぶことがない。
【００２５】
また、本実施の形態に係る包装材では、筒状気泡緩衝材溶着部の下部に筒状のスカート形状が延長されているので、井形状の仕切り材に収納する際に筒状スカート形状部分が垂直方向に圧縮され、被包装製品底面部に厚さを有する緩衝部を形成し、底面方向の衝撃に対して優れた緩衝性を確保し、全体は内装材に接触する仕切り材として機能する。
【００２６】
以上、本実施の形態では、
全体を保護する収納部と底面方向を保護する緩衝部を同時に備え、収納部は製品全体を包むための筒形状で、緩衝部は底面部分に余長を備えたスカート形状となっている包装材を説明した。
【００２７】
また、前記包装材は、気泡緩衝材を素材として構成することを説明した。
【００２８】
また、前記包装材は、平面形状の気泡緩衝材の両側面を接合することにより筒形状となることを説明した。
【００２９】
また、前記包装材の緩衝部は垂直に緩衝部を潰すため、端部を接着して製品と緩衝部の仕切りに対して、十字になるように接着構造を有することを説明した。
【００３０】
また、前記包装材の緩衝部は垂直に緩衝部を潰すため、緩衝部に開口部を持つ筒状形状であることを説明した。
【００３１】
また、前記収納部と緩衝部は、一枚の気泡緩衝材で構成されていることを説明した。
【００３２】
また、前記収納部は、気泡緩衝材の平らな面を内側に持たせたていることを説明した。
【００３３】
また、前記包装材の材料は、ごみ付着防止のため帯電防止の機能を有することを説明した。
【符号の説明】
【００３４】
１  物品、２  包装材、３  収納部、４  接合部ａ、５  緩衝部、６  仕切り材、７  包装箱、９  接合部ｂ、１０  開口部。
【図１】
2014159292.tif 000003
【図２】
2014159292.tif 000004
【図３】
2014159292.tif 000005
【図４】
2014159292.tif 000006